(57)【要約】【課題】  室内の床上に配線を行っても、つまずくなどして人の移動を妨げたり不安定にしたりするのを防止可能にする。【解決手段】  超薄型の扁平導体２、３を被覆する薄型の被覆材６と、扁平導体２、３の各一端に接続された電気接続端子部材１１とから電気接続端子部材付きの扁平コードを構成する。【選択図】        図１
2005228723.tif 000002
【特許請求の範囲】
【請求項１】
超薄型の扁平導体を被覆する薄型の被覆材と、前記扁平導体の各一端に接続された電気接続端子部材とを備えたことを特徴とする電気接続端子部材付きの扁平コード。
【請求項２】
前記扁平導体の各一端に接続された電気接続端子部材が、コンセントおよびプラグであることを特徴とする請求項１に記載の電気接続端子部材付きの扁平コード。
【請求項３】
前記超薄型の扁平導体の各一端には可撓コードを介してコンセントおよびプラグがそれぞれ接続されていることを特徴とする請求項１に記載の電気接続端子部材付きの扁平コード。
【発明の詳細な説明】
【技術分野】
【０００１】  本発明は、床面に布設しても、つまずくなどして人の歩行を妨げたり不安定にしたりするのを防止できる電気接続端子部材付きの扁平コードに関する。
【背景技術】
【０００２】  コンピュータを中心とする情報処理システムやアンプを中心とするオーディオシステムなどでは、これらが既設の室内に運ばれて設置された後は、この室内の隅などにある電源コンセントにコンピュータやアンプの電源プラグを挿し込み、この電源コンセントから電源をとり、システムの動作が開始される。ところが、前記コンピュータやアンプの利用上の都合から、これらの室内における設置位置が前記電源コンセントから離れる場合があり、このような場合には、電源コンセントに差し込まれるプラグとコンピュータやアンプとを結ぶコードが必然的に長くなり、これが床上の人の通路を横断することとなる。【０００３】  また、コンピュータとプリンタなどの付属機器とが分離配置されたり、アンプとスピーカとが大きく離れて配置されたりした場合には、これらを結ぶケーブルやコードなどがその付属機器やスピーカの設置位置に応じて長尺に及ぶ場合があり、この場合にもこれらのケーブルやコードが床上の人の通路を横断する場合がある（例えば、特許文献１参照）。
【特許文献１】特開２００１−３０２１０４号
【発明の開示】
【発明が解決しようとする課題】
【０００４】  しかしながら、このような従来の情報処理システムやオーディオシステムなどでは、室内における床上の通路にケーブルやコードが無造作に配置されると、室内を移動する人の足がこれらに引っ掛けて転倒したり、断線によるシステムダウンや音声出力の遮断を招くほか、整理整頓や清掃作業の妨げとなって室内の美感を害するという問題があった。【０００５】  本発明は前記のような問題を解決するものであり、室内の床上にコードやケーブルの敷設を行っても、これにつまずくなどして人の移動を妨げたり不安定にしたりするのを防止でき、従って断線による情報処理システムのシステムダウンやオーディオシステムの音声出力の突然の遮断を回避できるとともに、室内の美感を著しく妨げたり、清掃の障害になるのを防止できる電気接続端子部材付きの扁平コードを提供するものである。
【課題を解決するための手段】
【０００６】  前記目的達成のために、請求項１の発明にかかる電気接続端子部材付きの扁平コードは、超薄型の扁平導体を被覆する薄型の被覆材と、前記扁平導体の各一端に接続された電気接続端子部材とから構成したものである。これにより、超薄型にも拘らずプリント配線に比べて十分な電流容量が得られる配線を、通常の丸線を使用する場合のように肉厚にすることなく、床上に肉薄に敷設でき、従って、この配線につまずいて人の歩行を妨げたり、歩行を不安定にしたり室内の美感を大きく損ねたりするのを確実に回避することができる。【０００７】  また、請求項２の発明にかかる電気接続端子部材付きの扁平コードは、前記扁平導体の各一端に接続された電気接続端子部材を、コンセントおよびプラグとしたものである。これにより、扁平コードを電源の延長コードとして利用して、大きな起伏を生じさせることなく床上に敷設することができる。【０００８】  また、請求項３の発明にかかる電気接続端子部材付きの扁平コードは、前記超薄型の扁平導体の各一端に可撓コードを介してコンセントおよびプラグをそれぞれ接続したものである。これにより、室内の床上に固定される電気接続端子部材付きの扁平コードに対して、これのプラグおよびコンセントの向きを任意に変えることができ、従って、これらのプラグやコンセントに対する壁面の電源コンセントや機器側のプラグの差し込みをフリーにかつ容易に実施することができる。
【発明の効果】
【０００９】  本発明によれば超薄型にも拘らず十分な電流容量が得られる配線を、丸線を使用する場合のように肉厚にすることなく、床上に薄く敷設でき、従って、この配線に人がつまずくのを防止でき、室内の美感を大きく損ねるのを有効に回避することができる。【００１０】  また、前記扁平導体の各一端に接続された電気接続端子部材を、コンセントおよびプラグとした場合には、扁平コードを電源の延長コードとして、利用した場合に大きな起伏を生じさせることなく床上に敷設することができる。【００１１】  また、本発明は、前記超薄型の扁平導体の各一端に可撓コードを介してコンセントおよびプラグをそれぞれ接続した場合には、室内の床上に固定される扁平コードに対して、プラグおよびコンセントの向きを任意に変えることができ、従って、これらのプラグやコンセントに対する壁面の電源コンセントや機器側のプラグの差し込みをフリーにかつ容易に実施することができる。
【発明を実施するための最良の形態】
【００１２】  以下に、本発明の実施の一形態を図について説明する。図１は本発明の電気接続端子部材付きの扁平コードを示す斜視図であり、同図において、１はコード本体で、これが図２の断面図に示すように、超薄型の一対の扁平導体２、３と、これらの各扁平導体２、３を個別に被覆する絶縁被覆４、５と、これらの絶縁被覆４、５により被覆された扁平導体２、３を共に被覆する薄型の被覆材としての外装被覆６とからなる。【００１３】  前記扁平導体２、３は例えば銅や銅合金あるいはしんちゅうなどの導電材料からなり、必要に応じ、これに金メッキを施したものなどが用いられる。また、この扁平導体２、３は厚みが例えば引抜き加工によって０．５ｍｍ〜２．５ｍｍ程度、幅が５．０ｍｍ〜１５．０ｍｍ程度と極めて肉薄に形成されている。従って例えば１２５Ｖ（ボルト）、２０Ａ（アンペア）の定格で作られた多芯型丸線に匹敵する断面積を充分に確保できる厚みおよび幅に形成される。【００１４】  このため、これらの扁平導体２、３はプリント基板にパターン化されて印刷されるプリント回路などの膜厚よりもはるかに厚く、従って、電流容量が大きく、曲げに対し十分な剛性を持つ厚みとされている。なお、このような超薄型の扁平導体２、３またはこれに類する線材は今のところいずれの分野においても製造および提供されていない。これまでのところ、これらの用途が見つかっていないためである。【００１５】  また、この扁平導体２、３は必ずしも矩形断面である必要はなく、例えば丸棒状のものをプレス機で加圧して扁平に形成したものでもよく、できるだけ肉薄でしかも十分に電気抵抗の小さい所定の断面積を有するものであればよい。なお、前記扁平導体２、３の絶縁被覆４、５としては塩化ビニル、ポリエチレン、ゴムなどの耐熱性、耐候性チューブなどが用いられる。【００１６】  また、扁平導体２、３を被覆した絶縁被覆４、５の周囲には、これらを共に被覆するゴムや合成ゴム、あるいはプラスチックの外装被覆６が被覆材として施されている。この外装被覆６は前記扁平導体２、３を包む絶縁被覆４、５の厚みより僅か大きい厚み、つまりこれを床の上に設置しても、床面との間に大きな段差をもたらすことのない厚みに形成されている。尤も肉厚が小さくても、全体として自重や人の体重によっては容易に変形しない程度の剛性を持つように形成したり、可撓性を持つように形成することは任意である。【００１７】  また、前記外装被覆６は少なくとも両側部が緩やかな傾斜面Ｄを持つように形成されている。従って、これを床の上に設置したとき、床上を歩行する人の足がその外装被覆６側面につまずく（引っ掛る）のを防止でき、このつまずきによって、上体が歩行方向に倒れたり不安定になったりするのを未然に回避することができる。なお、絶縁被覆４、５が扁平導体２、３に施されていない場合には、外装被覆６自体が絶縁材料にて成型される。【００１８】  また、前記扁平導体２、３の各一端には、絶縁被覆した通常の丸線７、８および丸線９、１０の導体の各一端が半田付けやろう付け、あるいはかしめ付けなどにより接続されている。一方、これらの可撓コードとしての丸線７、８の他端には、電気接続端子部材としてのコンセント１１の二つの端子���、また、可撓コードとしての丸線９、１０の他端には別の電気接続端子部材としてのプラグ１２の二つの端子がそれぞれ接続されている。【００１９】  なお、前記のような構成のコード本体１の全長は、前記情報処理システムやオーディオシステムが設置される室内の床の広さに応じて、例えば１ｍから５ｍ内外の複数種類に亘って用意され、これらの中から配線施工者が任意に選んで用いることとなる。【００２０】  従って、このように構成された電気接続端子部材付きの扁平コードを情報処理システムやオーディオシステムを収容した室内で用いる場合には、その室内の床の広さに合わせた長さ、さらに具体的には、室内の電源コンセントからコンピュータやアンプの設置位置までの距離に略等しい長さの電気接続端子部材付きの扁平コードを用意して、これを両面接着テープなどを用いて床上に貼着固定する。【００２１】  そして、この電気接続端子部材付きの扁平コードの一方に接続された前記プラグ１２を室内の壁面に設けられた電源コンセントに差し込み、電気接続端子部材付きの扁平コードの他方に接続された前記コンセント１１に前記コンピュータやアンプの電源プラグを差し込む。これにより、この電気接続端子部材付きの扁平コードを通じてコンピュータやアンプに電源電圧を供給することができる。【００２２】  この場合において、前記電気接続端子部材付きの扁平コードのコード本体１が例えば５ｍｍ以下の超薄肉に形成されており、さらにこのコード本体１の両側が傾斜面Ｄとされていることにより、コード本体１の床上における突出レベルが極めて低くなる。このため、床上を歩行する人の足がこれによってつまずくことがない。つまり、人がこれにつまずいて歩行が不安定になったり、転倒したりするという不都合を未然に回避できることとなる。【００２３】  さらに、前記外装被覆６自体に着色を施すことによって、床上のコード本体１１と、この床との識別を容易にしたり、逆に識別しにくくしたりすることができる。なお、この着色は、コード本体１の表面のみに吹き付けや塗布で直接行ったり、外装被覆自体に着色料を予め混入することにより行うことができる。【００２４】  なお、図１に示す実施の態様によれば、コンセント１１やプラグ１２が可撓性の丸線７、８および丸線９、１０を介してコード本体１に対して接続されているため、プラグ１２の電源コンセントへの差し込みと、コンセント１１へのコンピュータやアンプなどのプラグの差し込みとが容易に行えることとなる。【００２５】  図３は本発明の実施の他の形態を示す。これはコンセント１１をコード本体１に対し、外装被覆６の成形時に固定的に一体結合したものであり、図１に示すような可撓性のコード７、８が設けられない分、頻繁に屈曲が繰り返されることによるこのコード７、８内の芯線の破断の発生をなくすることができるとともに、電気接続端子部材付きの扁平コードの取り扱いを容易化できる。【００２６】  図４は本発明の実施の別の形態を示す。これは、コード本体１ＡをＬ字状に形成して、このコード本体１Ａの扁平導体２、３に対してコンセント１１およびプラグ１２を図１に示すようにコード７、８およびコード９、１０を介して接続したものである。これは、机や備品の設置に邪魔にならない部位を選んで床面に配線を行う場合等に有効となる。この場合のコード本体１Ａも複数種類の長さのものが用意されれば、利用価値が高まる。【００２７】  図５は本発明の実施のさらに他の形態を示す。これはコード本体１Ｂを長円形としたものであり、周縁部の全体が緩やかな傾斜面Ｄに形成されている。これによれば、床上に設置されたコード本体１Ｂ上の周辺すべてにおいて人の足がつまづくのを防止できるとともに、円滑面を持つデザインによって室内の美感を向上することができる。【００２８】  なお、前記においては電気接続端子部材がコンセントおよびプラグの場合について述べたが、電気信号の接続を行うためのあらゆる構成、サイズのピンおよびジャックなどの電気接続端子部材を、前記コード本体１の扁平導体２、３に接続して用いることもできる。【００２９】  また、前記においてはコード本体１、１Ａ、１Ｂの外装被覆６内に二本の扁平導体２、３を並置したものを示したが、扁平導体２、３のいずれか一本のみ、または、三本以上設置したものとしてもよい。さらに、コード本体１を直線状とすることのほか、設置目的、条件に応じてＬ字状やＳ字状、ジグザグ状などの任意の形状に形成することは任意である。【００３０】  さらに、前記コード本体１の床面に予め両面テープなどによる接着材層を設けておくことにより、剥離紙の除去のみで、これを床上面の所定部位に簡単かつ固定的に取り付けることができる。従って、この接着材層を利用してコード本体１を壁面に、窓枠に沿って取り付けることもでき、その壁面に沿った配線も、壁面の美感を大きく害することなく任意かつ容易に実施できる。【００３１】  また、前記両面テープなどの接着材層を床面から剥離するときその接着力が強すぎてこの床面を損傷してしまう場合がある。この場合には、コード本体１に接着材層を設けないで、ねじや釘などを用いてコード本体１を床面に固定してもよい。この場合において、ねじや釘を通す位置を、コード本体１に溝や孔、あるいは着色などによって指定しておくことで、扁平導体２、３とねじや釘との電気的干渉を未然に防止することができる。【００３２】  また、上記実施例では絶縁被覆４、５を施した扁平導体２、３を外装被覆６内にモールドしたものを示したが、外装被覆６自体がゴムやプラスチックの絶縁材料により構成されている場合には、前記のように絶縁被覆４、５を省くことができ、これによって必要とする絶縁効果を得ながら、コード本体１の更なる薄肉化を実現することができる。
【図面の簡単な説明】
【００３３】
【図１】本発明の実施の一形態による電気接続端子部材付きの扁平コードを示す斜視図である。
【図２】図１における電気接続端子部材付きの扁平コードを示す縦断面図である。
【図３】本発明の実施の他の形態による電気接続端子部材付きの扁平コードを示す斜視図である。
【図４】本発明の実施の別の形態による電気接続端子部材付きの扁平コードを示す斜視図である。
【図５】本発明の実施のさらに他の形態による電気接続端子部材付きの扁平コードを示す斜視図である。
【符号の説明】
【００３４】１、１Ａ、１Ｂ  コード本体
２、３  扁平導体
４、５  絶縁被覆
６  外装被覆（被覆材）
７、８、９、１０  可撓コード
１１  コンセント（電気接続端子部材）
１２  プラグ（電気接続端子部材）
【図１】
2005228723.tif 000003
【図２】
2005228723.tif 000004
【図３】
2005228723.tif 000005
【図４】
2005228723.tif 000006
【図５】
2005228723.tif 000007